(57)【要約】      （修正有）【課題】破壊されにくいハンドル構造を提供する。【解決手段】複合端部壁を有するカートンのためのハンドル構造は、前記複合端部壁に亘って略延在しているハンドルストラップを含む。前記ハンドルストラップは、前記複合端部壁を形成する３つ又はそれ以上のコンポーネントフラップ（３０，３２，８０，８２）のそれぞれの一部から少なくとも部分的に形成される。前記ハンドルストラップは、使用者によって把持可能である中央部分を有する。【選択図】図１
2012162303.tif 000002
【特許請求の範囲】
【請求項１】
複合端部壁を有しているカートンのためのハンドル構造であって、
該複合端部壁は、少なくとも３つのコンポーネントフラップを備え、
前記ハンドル構造は、前記複合壁端部に亘って略延在しているハンドルストラップを備え、
前記ハンドルストラップは、前記少なくとも３つのコンポーネントフラップのそれぞれの一部から少なくとも部分的に形成されており、
前記ハンドルストラップは、使用者によって把持可能である中央部分を有し、それによって、前記カートンは、前記ハンドル構造によって持ち上げられることを可能にされることを特徴とする、ハンドル構造。
【請求項２】
前記ハンドルストラップは、その両端に隣接する部分を備え、該部分のそれぞれの厚さが三層であることを特徴とする請求項１に記載のハンドル構造。
【請求項３】
タブをさらに備え、
前記タブは、前記ハンドルストラップにその第１の端部で折り曲げ可能に接続され、前記複合端部壁にその第２の端部で折り曲げ可能に接続され、前記タブは、前記ハンドルストラップと前記複合端部壁との間の接続を維持するために、前記ハンドル構造の動作に応じて折り曲げ可能に接続することを特徴とする請求項１に記載のハンドル構造。
【請求項４】
複数の物品を包装するためのカートンであって、
前記カートンは、
管状構造を形成するために対向した側壁によって連結された上壁及び底壁と、
前記管状構造の対向した端部の少なくとも１つを少なくとも部分的に閉鎖する複合端部壁と、
前記複合端部壁から少なくとも部分的に形成されたハンドル構造と、
を備えており、
前記複合端部壁はそれぞれ、前記側壁に折り曲げ可能に接続された一対の小さな端部フラップと、前記上壁及び前記底壁の少なくとも１つに折り曲げ可能に接続され、且つ平坦な面接触の関係で前記一対の小さな端部フラップに固定された少なくとも１つの大きな端部フラップと、を備え、
前記ハンドル構造は、前記少なくとも１つの大きな端部フラップの一部及び前記一対の小さな端部フラップの各部分から形成されたハンドルストラップを備え、
前記ハンドルストラップは、前記複合端部壁に亘って略延在し、且つ使用者によって把持可能である中央部分を有していることを特徴とするカートン。
【請求項５】
前記ハンドル構造は、タブを備え、
前記タブは、前記ハンドルストラップ及び前記複合端部壁を連結し、前記タブは、前記ハンドルストラップにその第１の端部に沿って折り曲げ可能に接続され、前記複合端部壁にその第２の端部に沿って折り曲げ可能に接続されることを特徴とする請求項４に記載のカートン。
【請求項６】
前記ハンドルストラップ及び前記複合端部壁は、分割線に沿って分離され、前記分割線の一部が前記タブの一の縁部の少なくとも１部を画定することを特徴とする請求項５に記載のカートン。
【請求項７】
前記分割線は、前記複合端部壁の第１の縁部から延在し、前記複合端部壁におけるＪ字状の切断部で終端することを特徴とする請求項６に記載のカートン。
【請求項８】
前記Ｊ字状の切断部は、前記タブの前記一の縁部の少なくとも１部から延在することを特徴とする請求項７に記載のカートン。
【請求項９】
前記Ｊ字状の切断部は、前記タブの第１の端部より前記複合端部壁の前記第１の縁部から遠い位置で配置されることを特徴とする請求項７に記載のカートン。
【請求項１０】
前記タブは、前記少なくとも１つの大きな端部フラップから形成され、前記ハンドルストラップと前記少なくとも１つの大きな端部フラップを連結することを特徴とする請求項６に記載のカートン。
【請求項１１】
前記一対の小さな端部フラップのそれぞれは、分割線を備え、前記分割線は、前記小さな端部フラップのそれぞれを少なくとも１つの中央補強部分及び２つの側部分に分割し、前記一対の小さな端部フラップのそれぞれの前記中央補強部分は、前記ハンドルストラップの一部を提供することを特徴とする請求項１０に記載のカートン。
【請求項１２】
前記一対の小さな端部フラップのそれぞれの前記分割線は、前記一対の小さな端部フラップのそれぞれの前記中央補強部分に接続された隣接する側壁の一部が前記カートンを持ち上げるために、前記ハンドル構造の使用に応じて折り曲げ可能に接続するように、前記側壁の隣接する１つの側壁内に延在することを特徴とする請求項１１に記載のカートン。
【請求項１３】
前記折曲げ線は、前記隣接する側壁に設けられ、
前記折曲げ線はそれぞれ、前記分割線上の終端から延在し、前記隣接する側壁の側縁部で、互いから離れて端部へ分岐することを特徴とする請求項１２に記載のカートン。
【請求項１４】
カートンと、前記カートン内の複数の略円柱状の物品と、を備えているパッケージであって、
前記複数の物品のそれぞれは、上部、底部、円柱軸を画定している丸みを帯びた壁と、を有しており、前記複数の物品は、前記複数の物品の前記円柱軸が互いに対して略平行になるように、少なくとも二列で配置されており、
前記カートンは、前記複数の物品の前記上部に沿って配置された上壁と、前記複数の物品の前記底部に沿って配置された底壁と、前記少なくとも二列の一方で前記複数の物品の前記丸みを帯びた壁に沿って配置された第１の側壁と、前記少なくとも二列の他方で前記複数の物品の前記丸みを帯びた壁に沿って配置された第２の側壁と、前記少なくとも二列の端部の物品の前記丸みを帯びた壁に沿って配置された複合端部壁と、前記端部壁から少なくとも一部を形成されたハンドル構造と、を備えており、
前記複合端部壁はそれぞれ、前記第１の側壁及び前記第２の側壁に折り曲げ可能に接続された一対の小さな端部フラップと、前記上壁及び前記底壁の少なくとも１つに折り曲げ可能に接続され、且つ平坦な面接触の関係で前記一対の小さな端部フラップに固定された少なくとも１つの大きな端部フラップと、を備え、
前記ハンドル構造は、前記少なくとも１つの大きな端部フラップの一部及び前記一対の小さな端部フラップの各部分から形成されたハンドルストラップを備え、
前記ハンドルストラップは、前記複合端部壁に亘って略延在しており、前記ハンドルストラップは、前記ハンドルストラップの対向した端部が隣接する端部の物品の前記丸みを帯びた壁に隣接して配置されるように、前記端部の物品の前記円柱軸に対して略垂直に配置されることを特徴とするブランク。
【請求項１５】
カートンを形成するためのブランクであって、
前記ブランクは、上壁パネルと、底壁パネルと、第１の側壁パネルと、第２の側壁パネルと、前記第１の側壁パネル及び前記第２の側壁パネルにそれぞれ折り曲げ可能に接続された一対の小さな端部フラップと、前記上壁パネル及び前記底壁パネルの少なくとも１つに折り曲げ可能に接続された少なくとも１つの大きな端部フラップと、を備え、
前記少なくとも１つの大きな端部フラップ及び前記一対の小さな端部フラップのそれぞれは、ハンドルストラップを提供するための一部を画定するための少なくとも２つの分割線を含み、該ハンドルストラップは、カートンが前記ブランクから組み立てられる場合に、前記第１の側壁パネルと前記第２の側壁パネルとの間に延在することを特徴とするブランク。
【請求項１６】
前記少なくとも１つの大きな端部フラップは、前記少なくとも１つの大きな端部フラップの前記２つの分割線によって画定されたストラップ部材を含み、前記ストラップ部材は、タブによって前記少なくとも１つの大きな端部フラップの残りの部分に接続され、前記タブは、その第１の端部に沿って前記ストラップ部材に折り曲げ可能に接続され、その第２の端部に沿って前記少なくとも１つの大きな端部フラップに折り曲げ可能に接続されることを特徴とすることを特徴とする請求項１５に記載のブランク。
【請求項１７】
前記少なくとも１つの大きな端部フラップの前記分割線はそれぞれ、Ｊ字状の切断部で終端することを特徴とする請求項１６に記載のブランク。
【請求項１８】
前記一対の小さな端部フラップのそれぞれは、分割線を備え、前記分割線は、前記一対の小さな端部フラップのそれぞれを少なくとも１つの中央補強部分及び２つの側部分に分割し、前記中央補強部分は、前記ハンドルストラップフラップの一部を提供するために、前記ストラップ部材に固定されることを特徴とする請求項１７に記載のカートン。
【請求項１９】
前記一対の小さな端部フラップのそれぞれの前記分割線は、前記一対の小さな端部フラップのそれぞれの前記中央補強部分に接続された隣接する側壁の一部が、組み立てられたカートンを持ち上げるために、前記ハンドル構造の使用に応じて折り曲げ可能に接続するように、前記第１の側壁パネル及び前記第２の側壁パネルのうち隣接する１つの側壁パネル内に延在することを特徴とする請求項１８に記載のブランク。
【請求項２０】
折曲げ線が隣接する側壁に設けられており、
前記折曲げ線はそれぞれ、前記一対の小さな端部フラップのそれぞれの前記分割線上の終端から延在し、前記隣接する側壁の側縁部で、互いから離れて端部へ分岐することを特徴とする請求項１９に記載のブランク。
【発明の詳細な説明】
【技術分野】
【０００１】
本願の開示は一般的に、複数の物品のためのカートンとともに使用するためのハンドル構造の技術分野に関連する。より具体的には、排他的ではないけれども、使用時に、本願の開示は、増加された頑健性を提供する複数層のハンドル構造に関連する。
【背景技術】
【０００２】
ボール紙などの平坦な材料の複数の壁から形成されたカートンを提供することは、包装の技術分野で周知である。そのようなカートンが、使用者が前記カートンを運搬するために把持することができるいくつかの形態のハンドルを提供することは、有利である。使用者によってそのような方法で使用されることができるハンドル構造をカートンの壁内に画定することは、周知である。
【０００３】
先行技術において存在する欠点は、カートンの重量を持ち上げることに関連した力が、カートンが形成される材料の部分上に配置される応力に転換されると、ハンドル構造が破壊されやすいことである。それらの応力が大きくなる場合に、材料は引き裂かれ、カートンの審美的な品質における減少を引き起こし、潜在的に、ハンドル構造を全く役に立たなくさせる。
【０００４】
それ故に、包装の分野においてカートンの使用のためのハンドル構造を提供する必要性が存在する。該ハンドル構造は、増加した頑健性（robustness）を提供するように、且つハンドルが使用状態にある場合に、そのカートン上に配置された応力をより良く方向付けるように、補強される。
【０００５】
本願の開示は、先行技術における欠点を克服したいと考える、又は少なくとも緩和したいと考える。
【発明の概要】
【課題を解決するための手段】
【０００６】
本願開示の第１の態様は、複数の物品のためのカートンのためのハンドル構造を提供する。ハンドル構造は、前記カートンを形成する３つ又はそれ以上のパネルのそれぞれの一部を備え、中央部分を有するストラップ部材を提供し、該中央部分によって、ハンドル構造は、使用者によって把持可能になり、それによってカートンをハンドル構造によって持ち上げることを可能にする。
【０００７】
好ましくは、ハンドル構造は、ストラップ部材の両端で、三層又は三層の厚みのある部分を備える。
【０００８】
代替的には、前記中央部分は、二層の厚さである。
【０００９】
好ましくは、ハンドル構造は、タブをさらに備え、前記タブは、その一端でストラップ部材に折り曲げ可能に接続され、その他端で前記カートンの壁を形成する大きな端部フラップに折り曲げ可能に接続され、前記タブは、前記ストラップ部材と前記大きな端部フラップとの間の接続を維持するために、前記ハンドル構造の動作に応じて折り曲げられる。
【００１０】
好ましくは、タブは、単一層の厚さである。
【００１１】
本願開示の第２の態様は、複数の物品を包装するためのカートンであって、前記カートンは対向した側壁と、前記対向した側壁に連結している端部壁と、を備え、該端部壁内に画定されたものは、対向した側壁の間に延在しているストラップ部材を備えており、且つ使用者によって把持可能である中央部分を有しているハンドル構造であり、それによって、前記カートンがハンドル構造によって持ち上げられることを可能にする。
【００１２】
好ましくは、端部壁は、前記ストラップ部材と側壁の１つとの間に延在する大きな端部フラップを備え、前記大きな端部フラップ及び前記ストラップ部材は、タブによって連結され、該タブは、一の縁部に沿って前記ストラップ部材に折り曲げ可能に接続され、他の縁部に沿って前記大きな端部フラップに折り曲げ可能に接続される。
【００１３】
好ましくは、ストラップ部材及び大きな端部フラップは分割線によって分離され、前記分割線の一部は前記タブの一の縁部の少なくとも１部を画定する。
【００１４】
好ましくは、前記分割線は、大きな端部フラップにおけるＪ字状の切断部で終端する。
【００１５】
好ましくは、前記大きな端部フラップは、前記対向した側壁を連結しているカートンの壁に折り曲げ可能に接続される。
【００１６】
好ましくは、前記カートンは小さな端部フラップをさらに備え、前記小さな端部フラップは、前記対向した側壁のうち１つに折り曲げ可能に接続されており、前記ストラップ部材の部分に固定される。
【００１７】
好ましくは、小さな端部フラップは分割線を備え、該分割線は、前記小さな端部フラップを少なくとも１つの中央補強部分及び２つの側部部分に分割し、前記中央補強部分は、前記ストラップ部材の一部に固定される前記小さな端部フラップの一部である。
【００１８】
好ましくは、前記分割線は、前記小さな端部フラップの前記中央補強部分に接続された前記側壁の一部が、前記カートンを持ち上げるために、前記ハンドル構造の使用に応じて折り曲げ可能に接続されるように、隣接する側壁内に延在する。
【００１９】
好ましくは、折曲げ線は、前記側壁に設けられており、該折曲げ線は、前記分割線上の終端から延在し、前記側壁の側縁部で、互いから離れて端部へ分岐する。
【００２０】
本願開示の第３の態様は、カートンを備えるパッケージであって、前記カートンが、対向した側壁と、該対向した側壁を連結する端部壁と、を備え、その端部壁内に画定されたものは、前記対向した側壁の間に延在するストラップ部材を備えており、且つ使用者によって把持可能である中央部分を有しているハンドル構造であり、それによって、前記カートンが前記ハンドル構造によって持ち上げられることを可能にし、前記パッケージがカートン内に供給された複数の物品をさらに備える、パッケージを提供する。
【００２１】
好ましくは、前記端部壁は、前記ストラップ部材と前記側壁の１つとの間に延在する大きな端部フラップを備え、前記大きな端部フラップ及び前記ストラップ部材は、タブによって連結され、前記タブは、一の縁部に沿って前記ストラップ部材に折り曲げ可能に接続され、他の縁部に沿って前記大きな端部フラップに折り曲げ可能に接続される。
【００２２】
好ましくは、前記ストラップ部材及び前記大きな端部フラップは、分割線によって分離され、前記分割線の一部は、前記タブの一の縁部の少なくとも１部を画定する。
【００２３】
好ましくは、前記分割線は、大きな端部フラップにおいてＪ字状の切断部で終端する。
【００２４】
好ましくは、前記大きな端部フラップは、前記対向した側縁部を連続するカートンの壁に折り曲げ可能に接続される。
【００２５】
好ましくは、前記パッケージは、小さな端部フラップをさらに備え、前記小さな端部フラップは、前記対向した側壁の１つに折り曲げ可能に接続され、且つ前記ストラップ部材の部分に固定される。
【００２６】
好ましくは、前記小さな端部フラップは、分割線を備え、前記分割線は、小さな端部フラップを少なくとも１つの中央補強部分及び２つの側部部分に分割し、前記中央補強部分は、前記ストラップ部材の一部に固定される前記小さな端部フラップの一部である。
【００２７】
好ましくは、前記分割線は、前記小さな端部フラップの前記中央補強部分に接続されたその側壁の一部が、前記カートンを持ち上げるために、前記ハンドル構造の使用に応じて折り曲げ可能に接続されるように、隣接する側壁内に延在する。
【００２８】
好ましくは、折曲げ線は側壁内に設けられており、前記折曲げ線は、前記分割線上の終端から延在し、側壁の側縁部で互いから離れて端部へ分岐する。
【００２９】
本願開示の第３の態様は、複数の物品を包装するためのカートンを形成するためのブランクであって、前記ブランクが対向した側壁を形成するためのパネルと、それらの対向した側壁を連結する端部壁を形成するためのパネルと、を備え、前記端部壁を形成するためのパネル内に画定されたものは、前記対向した側壁を形成するためのパネルの間に延在しているストラップ部材を備え、且つ使用者によって把持可能である中央部分を有しているハンドル構造であり、それによって、組み立てられると、前記カートンが前記ハンドル構造によって持ち上げられることを可能にする、ブランクを提供する。
【００３０】
好ましくは、前記端部壁を形成するためのパネルは、大きな端部フラップを備え、前記大きな端部フラップは、前記ストラップ部材とその側壁を形成するためのパネルのうち１つとの間で延在し、前記大きな端部フラップ及び前記ストラップ部材は、タブによって連結され、前記タブは、一の縁部に沿って前記ストラップ部材に折り曲げ可能に接続され、他の縁部に沿って前記大きな端部フラップに折り曲げ可能に接続される。
【００３１】
好ましくは、前記ストラップ部材及び前記大きな端部フラップは、分割線によって分離され、前記分割線の一部は、前記タブの一の縁部の少なくとも１部を画定する。
【００３２】
好ましくは、前記分割線は、前記大きな端部フラップにおけるＪ字状の切断部で終端する。
【００３３】
必要に応じて、前記大きな端部フラップは、前記対向した側壁を連結している前記カートンの壁に折り曲げ可能に接続される。
【００３４】
必要に応じて、前記端部壁を形成するためのパネルは、小さな端部フラップを備え、前記小さな端部フラップは、前記対向した側壁を形成するためのパネルの１つに折り曲げ可能に接続され、前記ストラップ部材の部分に固定可能である。
【００３５】
好ましくは、前記小さな端部フラップを形成するためのパネルは、分割線を備え、前記分割線は、前記小さな端部フラップを少なくとも１つの中央補強部分及び２つの側部部分に分割し、前記中央補強部分は、前記ストラップ部材の一部に固定される前記小さな端部フラップの一部である。
【００３６】
好ましくは、前記分割線は、前記小さな端部フラップの前記中央補強部分に接続されたその側壁の一部が、組み立てられたカートンを持ち上げるために、前記ハンドル構造の使用に応じて折り曲げ可能に接続されるように、側壁を形成するための隣接するパネル内に延在する。
【００３７】
好ましくは、折曲げ線は、前記側壁を形成するためのパネルに設けられ、前記折曲げ線は、前記分割線上の終端から延在し、前記側壁の側縁部で互いから離れて端部へ分岐する。
【００３８】
必要に応じて、前記ハンドル構造は、分割線を有し、前記分割線は、中央部分の縁部の一部を画定し、Ｊ字状の切断部で終端する。必要に応じて、この分割線はまた、前記Ｊ字状の切断部で終端する前に、前記タブの隣接する縁部を画定する。
【００３９】
本願開示の例示的な実施形態は、添付された図面を参照して次に記載されるであろう。
【図面の簡単な説明】
【００４０】
【図１】前記カートンを形成するためのブランクのパネルの部分で画定された、組み立てられていない形態で、第１の好ましい実施形態によるハンドル構造の平面図である。
【図２】接着位置及び下に載置されたパネルが鎖線で示される状態で、図１のブランクが本願開示によるハンドル構造を提供するために組み立てられることができることによって、連続的な折り曲げ動作における第１の折り曲げ動作を示す図である。
【図２Ａ】下に載置されたパネル及び接着位置を描く鎖線なしで、図２の第１の折り曲げ動作の結果を示す図である。
【図３】接着位置及び下に載置されたパネルが鎖線で示される状態で、図１のブランクから本願の開示によるハンドル構造を形成するための折り曲げ動作における第２の段階を示す図である。
【図３Ａ】下に載置されたパネル及び接着位置を描く鎖線なしで、図３の第１の折り曲げ動作の結果を示す図である。
【図４】本願開示によるハンドル構造を備えているカートンを示す図である。
【図５】ハンドル構造が使用者によって把持される状態の図４のカートンを示す図である。
【図６】前記カートンが前記ハンドル構造によって吊り下げられる状態の図４のカートンを示す図である。
【図７】カートンを形成するためのブランクのパネルの部分で画定された、折り曲げられていない形態で、第２の好ましい実施形態に従ってハンドル構造の平面図を示す図である。
【発明を実施するための形態】
【００４１】
本願の開示は、複数の物品を包装するためのカートンのためのハンドル構造に関連する。より具体的には、ハンドル構造は、増加した強度及び頑健性のための多層構造を提供するために、前記カートンの多数のパネルから形成される。好ましくは、この多層構造は、カートンの複数の端部フラップによって提供され、該複数の端部フラップは、互いと同一平面内で接触する状態になるように折り曲げられ、以下に詳細に記載されるように、ハンドル構造の様々な部分を提供するために、互いに対して所望される位置で固定される。
【００４２】
本願の開示の好ましい実施形態は、添付された図１〜図６で示され、この好ましい実施形態の詳細は、次の通りである。
【００４３】
ハンドル構造は、カートンの少なくとも３つの部分から形成されるハンドルストラップを含む。３つの部分は、少なくとも１つの大きな端部フラップ及び２つの小さな端部フラップを含む。好ましくは、組み立てられたカートンの小さな端部フラップは、大きな端部フラップの内側に配置される、すなわち前記大きな端部フラップと前記カートンの内容物との間に配置される。そのようなハンドル構造を備えているカートンを形成するためのパネルの配置を有しているブランク１は、図１〜図３Ａに示される。
【００４４】
ハンドル構造のこの好ましい実施形態を備えているブランク１は、カートン１００（図４）の上壁、側壁、及び底壁を形成するための直線状に接続された一連のパネルを備えており、それぞれ折曲げ線２０、２２、２４、及び２６によって互いに折り曲げ可能に接続された接着パネル２、上壁パネル４、第１の側壁パネル６、底壁パネル８、及び第２の側壁パネル１０を備える。
【００４５】
複数の端部フラップは、この直線状に接続された一連の複数の壁パネルのそれぞれの端縁部のいずれか又は両方に折り曲げ可能に接続される。直線状に接続された一連の複数の壁パネルの少なくとも１つの縁部に沿った複数の端部フラップは、ハンドル構造の様々な部分を形成し、以下に記載されるようになる。必要に応じて、直線状に接続された一連の壁パネルの対向した縁部は、カートンのその端部を閉鎖するための複数の端部フラップを備えることができる。それらの端部フラップは、必要に応じてアクセス手段を備えることができる。
【００４６】
第１の大きな端部フラップ３０は、折曲げ線２８に関して上壁パネル４に折り曲げ可能に接続され、第２の大きな端部フラップ３２は折曲げ線２９に関して底壁パネル８に折り曲げ可能に接続される。第１の大きな端部フラップ３０は、第１のストラップ部材３４を含み、該第１のストラップ部材３４は、３つの分割線５４、６０、６０によって第１の大きな端部フラップ３０から部分的に分離され、且つタブ５０及び切れ目部分５３によって第１の大きな端部フラップ３０に接続される（図２及び図２Ａ）。同様に、第２の大きな端部フラップ３２は、第２のストラップ部材３６を含み、該第２のストラップ部材３６は、３つの分割線５４、６０、６０によって第２の大きな端部フラップ３２から部分的に分離され、且つタブ５０及び切れ目部分５３によって第２の大きな端部フラップ３２に接続される。それらのパネルのこの接続は、以下により詳細に説明される。
【００４７】
第１のストラップ部材３４及び第２のストラップ部材３６は、ブランク１の直線状に接続された一連のパネルから最も遠くの、第１の大きな端部フラップ３０及び第２の大きな端部フラップ３２の各自由端縁部に沿って配置される。第１のストラップ部材３４及び第２のストラップ部材３６のそれぞれは、２つの分割線６０、６０によって第１の大きな端部フラップ３０及び第２の大きな端部フラップ３２のそれぞれから実質的に分離され、該２つの分割線６０、６０は、第１の大きな端部フラップ３０及び第２の大きな端部フラップ３２のそれぞれの対向した側縁部から、その中央領域に向けて延在している。それらの分割線６０は、切れ目部分５３によって、第１の大きな端部フラップ３０及び第２の大きな端部フラップ３２の側縁部に近接して遮断される。それらの分割線６０は、互いが出合う前に停止し、小さな「Ｊ」字状の切断部６２で終端する。それらの「Ｊ」字状の切断部６２上の点から離れて延在する構成要素は、さらなる分割線５４によって互いに接続される折曲げ線５８である。第１のストラップ部材３４及び第２のストラップ部材３６のそれぞれの輪郭はそれ故に、分割線６０、折曲げ線５８、及び分割線５４によって部分的に規定される。
【００４８】
タブ５０は、折曲げ線５８に関して第１のストラップ部材３４及び第２のストラップ部材３６に折り曲げ可能に接続され、対向した折曲げ線５２に沿って第１の大きな端部フラップ３０又は第２の大きな端部フラップ３２に折り曲げ可能に接続される。タブ５０が第１の大きな端部フラップ３０又は第２の大きな端部フラップ３２に折り曲げ可能に接続される折曲げ線５２は、折曲げ線５８に対して傾斜されており、該折曲げ線５８に関して、それらは、第１のストラップ部材３４又は第２のストラップ部材３６に折り曲げ可能に接続される。それらの２つの折曲げ線５２、５８上の終点は、それに応じてタブ５０の側縁部を規定するために、分割線５４の一部又は分割線６０の一部によって接続される。
【００４９】
第１のストラップ部材３４及び第２のストラップ部材３６の終縁部の一部を規定する分割線５４はまた、ハンドルフラップ５６の終縁部を画定する。１つのそのようなハンドルフラップ５６は、第１のストラップ部材３４及び第２のストラップ部材３６のそれぞれから延在し、分割線５４上の終端の間に延在する各折曲げ線７０によって、第１のストラップ部材３４及び第２のストラップ部材３６のそれぞれに折り曲げ可能に接続される。各ハンドルフラップ５６の終端は、折曲げ線５５を備え、該折曲げ線５５は、そのハンドルフラップを両側で折り曲げ可能な部分に折り曲げ可能に接続された中央主要部分に分割する。それらの折曲げ線５５は、使用者の手に一致するように、及び／又はそれらが内側方向に折り曲げられると、ハンドルフラップ５６の通路を部分的に妨害する可能性があるカートン内に供給される複数の物品の周囲で変形させるように、ハンドルフラップ５５の変形を補助する。
【００５０】
第１のストラップ部材３４及び第２のストラップ部材３６のそれぞれは、実質的に矩形状であり、前述のハンドルフラップ５６を備える。ハンドルフラップ５６の両側では、第１のストラップ部材３４及び第２のストラップ部材３６は、対応する第１の大きな端部フラップ３０又は第２の大きな端部フラップ３２の終縁部に延在する。第１のストラップ部材３４及び第２のストラップ部材３６のそれぞれは略矩形状の部分を備え、該略矩形状の部分は、第１の大きな端部フラップ３０又は第２の大きな端部フラップ３２のそれぞれの幅に亘って実質的に延在し、且つ好ましくは第１の大きな端部フラップ３０及び第２の大きな端部フラップ３２が折り曲げ可能に接続される上壁４又は底壁８の幅の略全体に対応する。この矩形状の部分は、以下に記載の方法で形成される場合に、ハンドル構造の把持可能なハンドルストラップ１０２（図３Ａ〜図６）を提供する。
【００５１】
第１の小さな端部フラップ８０及び第２の小さな端部フラップ８２は、それぞれ、折曲げ線８４、８８を介して第１の側壁パネル６及び第２の側壁パネル１０の端縁部に折り曲げ可能に接続される。第１の小さな端部フラップ８０及び第２の小さな端部フラップ８２のそれぞれは、テーパーされたフラップであり、該テーパーされたフラップは、対応する第１の側壁パネル６及び第２の側壁パネル１０から離れるについて狭くなり、且つ第１の小さな端部フラップ８０又は第２の小さな端部フラップ８２の中間点の両側で配置される離隔された２つの平行な分割線８８、８９を備える。それらの分割線８８、８９は、第１の小さな端部フラップ８０及び第２の小さな端部フラップ８２のそれぞれを、３つの部分、すなわち中央補強部分９２の両側の側部部分９０に実質的に分割する。この中央補強部分９２と側部部分９０との間の最小の程度の接続は、中央補強部分９２を各側部で対応する側部部分９０に接続する小さな切れ目部分９４をそのままにするように、分割線８８、８９における小さな区切りによって維持される。分割線８８、８９は、隣接する第１の側壁６、又は場合によっては、隣接する第２の側壁１０内に短く延在する。対応する第１の側壁６及び第２の側壁１０における第１の分割線８８又は第２の分割線８９のそれぞれの終端から、折曲げ線９１、９３は、第１の側壁６又は第２の側壁１０の最も近接の側縁部２２、２４、２６、２７で終端するように、所定の角度で延在する。それらの分割線９１、９３は、以下に記載されるようにハンドル構造が使用時である場合に、第１の大きな端部フラップ３０及び第２の大きな端部フラップ３２からの応力を方向付けるように提供される。
【００５２】
複数の接着領域Ｇ１〜Ｇ６はまた、図１に示される。接着領域Ｇ１は、第２のストラップ部材３６が第１のストラップ部材３４に固定されることを可能にするように、第２のストラップ部材３６上に配置される比較的大きな接着領域であり、接着領域Ｇ２〜Ｇ６はそれぞれ、小さな端部フラップ８０、８２と、大きな端部フラップ３０、３２又はストラップ部材３４、３６との間の固定のために提供される比較的小さな接着領域である。この固定が達成される方法の詳細は、以下に詳細に付与される。
【００５３】
図１に示されたブランク１からハンドル構造を組み立てるための折り曲げ動作は、図２及び図３のそれぞれにおける２つのステップで示される。図２は、カートンを部分的に組み立てることを示しており、該組み立てにおいて、該カートンにおける第１の側壁パネル６及び第２の側壁パネル１０は、第１の側壁パネル６及び第２の側壁パネル１０を底壁パネル８に対して垂直な関係になるように、各折曲げ線２４、２６に関して折り曲げられる。好ましくは、上壁パネル４はまた、折曲げ線２２に関して第１の側壁パネル６に対して垂直に折り曲げられ、それによって、接着パネル２は、折曲げ線２０に関して上壁パネル４に相対的に折り曲げられることができ、且つ第２の側壁パネル１０の内側部分又は外側部分に固定されることができ、それによって管状構造を形成する。第１の小さな端部フラップ８０及び第２の小さな端部フラップ８２は、第１の小さな端部フラップ８０及び第２の小さな端部フラップ８２を互いに同一平面の関係になるように、各折曲げ線８４、８６に関してカートン（又は管状構造）１００の内側に折り曲げられる。図２に示されるように、第１の小さな端部フラップ８０及び第２の小さな端部フラップ８２のそれぞれの第１の２つの接着領域Ｇ２、Ｇ３は、第２のストラップ部材３６と第１の小さな端部フラップ８０及び第２の小さな端部フラップ８２の中央補強部分９２との間に介在して配置される。接着剤は、第２の小さな端部フラップ３２の折り曲げより前に、それらの接着領域Ｇ２及びＧ３に塗布され、それによって、それが接触状態になる場合に、２つの間の固定を維持する。同様に、接着剤は、第２の大きな端部フラップ３２を折り曲げる前に、第１の小さな端部フラップ８０及び第２の小さな端部フラップ８２の、底壁パネル８に隣接する側部部分９０上に配置された接着領域Ｇ４に塗布される。第２の大きな端部フラップ３２は次いで、第２の大きな端部フラップ３２を、それらの第１の小さな端部フラップ８０及び第２の小さな端部フラップ８２の部分と同一平面で接触状態になるように、底壁パネル８に対して相対的に、折曲げ線２９に関して折り曲げられる。それ故に、第２の大きな端部フラップ３２が折曲げ線２９に関して折り曲げられると、第２のストラップ部材３６は、第１の小さな端部フラップ８０及び第２の小さな端部フラップ８２の中央補強部分９２に対して４つの接着領域Ｇ２、Ｇ３で固定される状態になり、第１の小さな端部フラップ８０及び第２の小さな端部フラップ８２の側部部分９０に対して２つの接着領域Ｇ４で固定される状態になる。
【００５４】
接着剤は、第１のストラップ部材３４及び第２のストラップ部材３６を互いに固定するように、上述のように第１の接着領域Ｇ１に塗布され、接着剤は、第１の小さな端部フラップ８０及び第２の小さな端部フラップ８２のそれぞれの中央補強部分９２に対して第１のストラップ部材３４の部分を固定するように、第５の接着領域Ｇ５に塗布される。さらに、接着剤は、上壁パネル４に隣接して第１の小さな端部フラップ８０及び第２の小さな端部フラップ８２のそれぞれの側部部分９０に対して第１の大きな端部フラップ３０の部分を固定するように、第６の接着領域Ｇ６に塗布される。
【００５５】
既にそのように折り曲げられていない場合、上壁パネル４が次いで、第１の側壁パネル６に対して垂直になるように折り曲げられ、それによって、上壁パネル４が底壁パネル８に対して対向され、第１の大きな端部フラップ３０は、第１の大きな端部フラップ３０を第１の小さな端部フラップ８０及び第２の小さな端部フラップ８２の部分と同一平面において接触状態になるように、折曲げ線２８に関して折り曲げられる。第１のストラップ部材３４の部分は、それによって、第２のストラップ部材３６の部分と同一平面で接触する状態になる。第１のストラップ部材３４は、第１の大きな端部フラップ３０と同一平面における配置で維持され、第２のストラップ部材３６の部分と接触状態になる。接着領域Ｇ１、Ｇ５、及びＧ６に塗布された接着剤は、第１のストラップ部材３４及び第２のストラップ部材３６を互いに固定し、第１の大きな端部ストラップ３０の部分を第１の小さな端部フラップ８０及び第２の小さな端部フラップ８２の残りの側部部分９０に固定する。
【００５６】
それらの折り曲げ動作及び接着動作に続いて、カートンの複合端部壁は完成される。複合端部壁は、第１の大きな端部フラップ３０及び第２の大きな端部フラップ３２並びに第１の小さな端部フラップ８０及び第２の小さな端部フラップ８２から形成される。この複合端部壁は、ハンドルストラップ１０２を含むハンドル構造の一部を提供する（図３及び図３Ａを見る）。ハンドルストラップ１０２は、第１のストラップ部材３４及び第２のストラップ部材３６と、第１の小さな端部フラップ８０及び第２のストラップ部材の８２の中央補強部分９２と、分割線８８、８９の間の第１の側壁パネル６及び第２の側壁パネル１０の各部分１０６と、を備える（図４及び図５）。図３に最も図示されるように、ハンドルストラップ１０２の中央部分は、第１のストラップ部材３４及び第２のストラップ部材３６から形成された二層の厚さを有するのに対して、中央部分の対向した縁部上の部分はそれぞれ、第１のストラップ部材３４及び第２のストラップ部材３６と、第１の小さな端部フラップ８０及び第２のストラップ部材８２のそれぞれの中央補強部分と、から形成された三層の厚さを有する。
【００５７】
図３に見られることができるように、ハンドルストラップ１０２の中央部分は、略矩形状の形状であり、その両側でハンドルフラップ５６を備える。それらのハンドルフラップ５６は、（図４及び図５に示されるように）開口１０４を形成するように、中央部分の縁部に対して相対的に折り曲げ可能であり、使用者の指は、ハンドルストラップ１０２が把持されることを可能にするように、その開口１０４内に挿入されることができる。
【００５８】
ハンドルストラップ１０２（又は、第１のストラップ部材３４及び第２のストラップ部材３６）を第１の大きな端部フラップ３０及び第２の大きな端部フラップ３２とそれぞれ連結するタブ５０は、複合端部壁の単一層の領域に配置され、すなわち、第１の小さな端部フラップ８０又は第２の小さな端部フラップ８２の任意の部分との垂直方向の位置合わせでも形成されず、第１のストラップ部材３４又は第２のストラップ部材３６の任意の重複部分との垂直方向の位置合わせでも形成されない。第１の大きな端部フラップ３０及び第２の大きな端部フラップ３２に対して、且つ第１のストラップ部材３４及び第２のストラップ部材３６に対してタブ５０を折り曲げ可能に接続する折曲げ線５２、５８が省略されることができることは、想像される。この例において、ハンドルストラップ１０２によってカートンを持ち上げることによって生み出された応力は、材料の本来の強度を圧倒することによって、タブ５０とそれらの接続されたパネル３０、３２、３４、３６との間の接続を変形させるであろう。
【００５９】
図４及び図５は、２つのハンドル開口１０４を提供するために、ハンドルフラップ５６がカートン１００の内側方向に折り曲げられる、組み立てられたカートン１００のハンドル構造を示す。ハンドル構造は、図５及び図６に示されるように、使用者によってカートン１００を把持し、且つカートン１００を持ち上げるように常に使用されることができる。
【００６０】
使用時に、ハンドル構造の操作が図５及び図６に最もよく示される。それらの図面は、タブ５０の折り曲げの結果と、ハンドルストラップ１０２の中央部分上の力の作用に応じて第１の側壁６及び第２の側壁１０の部分の変形と、を図示する。それらの図面から見られることができるように、中央部分上の力は、カートンの内容物から離れて外側方向にストラップ部材の三層の部分を持ち上げ、プロセス時に第１の大きな端部フラップ３０及び第２の大きな端部フラップ３２を第１のストラップ部材３４及び第２のストラップ部材３６に部分的に接続する切れ目部分５３を破壊する。それらの三層の部分は、第１の側壁６及び第２の側壁１０に第１の小さな端部フラップ８０及び第２の小さな端部フラップ８２を接続するその側縁部８４、８６に関して折り曲げ可能に接続する。この力が作用されると、分割線８８、８９の間の、第１の側壁６及び第２の側壁１０の部分１０６（図４及び図５）は、内側方向に変形する。ハンドル構造の材料上に配置された応力は、それ故に、それらの分割線８８，８９の両端に方向付けられ、続いて、傾斜された折曲げ線９１、９３によって、第１の側壁６及び第２の側壁１０の縁部２２、２４、２６、２７にそれぞれ方向付けられる。この力は、第１の小さな端部フラップ８０及び第２の小さな端部８２のそれぞれのそれらの側部で、中央補強部分９２と側部部分９０と間の接続を保持する切れ目部分９４の一体性を圧倒し、それによって、複合端部壁の平面において実質的に保持する側部部分９０の独立的な折り曲げ可能な接続に対して中央補強部分９２を自由にする
【００６１】
タブ５０は、第１のストラップ部材３４及び第２のストラップ部材３６のそれぞれに対して折り曲げ可能に接続され、且つハンドルストラップ１０２の中央部分がカートン１００の複合端部壁の平面から離隔して配置されると、第１の大きな端部フラップ３０及び第２の大きな端部フラップ３２の部分に近接して折り曲げ可能に接続される。タブ５０の対向した端部を画定している、第１の折曲げ線５２と第２の折曲げ線５８との間の角度は、カートン１００の端部壁の平面においてそれらの本来の平面状態を実質的に維持する一方、それに対する物理的な接続を維持するように、第１の大きな端部フラップ３０及び第２の大きな端部フラップ３２を促進する。その際、カートンは、第１の大きな端部フラップ３０及び第２の大きな端部３２の曲がりを妨げることによって、カートンの端部の審美的なアピールを維持する。そうでなければ、審美的なアピールを損ねるであろう、且つ延在されたハンドル構造によって残された穴を通じて所望されることができない大きな開口に導くであろう。該大きな開口を通じて、容器内の複数の物品の所望されない出現が生じる場合がある。
【００６２】
それによって、ハンドル構造は、材料の把持可能な多層ストラップが設けられる手段によって提供する。多層のハンドルストラップ１０２は、使用者の指の挿入のために、その下に十分な空間を提供する。カートン１００の重量は、ハンドル構造によって支持され、且つその際にその上に配置された応力は有利には、カートンの側壁に方向付けられる一方、タブ５０が、ハンドル構造と第１の大きな端部フラップ３０及び第２の大きな端部フラップ３２との間の接続を維持し、そうでなければカートン１００のその端部に端部閉鎖を形成している。補強タブは、二層の把持可能なストラップ１０２の両端で、三層の部分を提供するために作用し、それによって、ハンドル構造の頑健性を補助するように作用する。第１のストラップ部材３４及び第２のストラップ部材３６と第１の大きな端部フラップ３０及び第２の大きな端部フラップ３２とを連結するタブ５０は、単一の層である。上記の好ましい実施形態において、カートンの４つのパネルは、ハンドルストラップを形成するために使用され、所望された配置を形成するように特定の領域で互いに固定される。
【００６３】
カートンは、複数の物品、缶及びボトルなどの複数の略円柱状の物品を供給されることができる。ハンドル構造は、複数の物品がカートンの対応する端部を通じて偶発的な出現を妨げる。カートンの対向した端部で、いくつかの端部閉鎖手段は、必要に応じて、複数の物品を囲むように採用されることができる。さらに、アクセス手段は、カートンにおいて設けられることができ、該アクセス手段は、例えば、カートン１００の１つ又は複数のパネルの１つ又は複数の分離可能な部分を形成することができ、該分離可能な部分の取り外しは、開口で生じ、該開口を通じて、複数の物品が取り除かれることができる。
【００６４】
複数の物品のカートンへの供給が、上記の折り曲げ動作の前に、又は折り曲げ動作中の任意の段階で、又は折り曲げ動作後に、行われる場合があることは、想像される。図４に図示された実施形態において、カートン１００は、パッケージを形成するために、ツーバイ構造（2-by configuration）において配置された一群の複数の缶「Ｃ」を供給されている。より具体的には、複数の缶は、複数の缶の円柱軸が互いに対して略平行になるように、二列で配置される。カートン１００の上壁４は、複数の缶「Ｃ」の上面に沿って配置される。底壁８は、複数の缶「Ｃ」の底部に沿って配置され、第１の側壁６は、二列の一方における複数の缶「Ｃ」の丸みを帯びた壁に沿って配置され、第２の側壁１０は、二列の他方の丸みを帯びた壁に沿って配置される。複合端部壁は、二列の複数の缶の各端部の丸みを帯びた壁に沿って配置される。ハンドルストラップ延在部１０２は、ハンドルストラップ１０２の対向した端部が隣接する端部の缶「Ｃ」の丸みを帯びた壁に隣接して配置されるように、端部の缶「Ｃ」の軸に対して略垂直に延在する。
【００６５】
ハンドル構造の第２の好ましい実施形態は、図７に示される。該図７には、カートンを形成するための第２のブランク１０１が示されており、複数のパネル内で画定されるのは、この第２の好ましい実施形態によるハンドル構造である。
【００６６】
第１の実施形態及び第２の実施形態によるハンドル構造は、実質的に類似であり、相異点のみが以下に記載されるであろう。
【００６７】
第２の実施形態における第１のストラップ部材１３４及び第２のストラップ部材１３６において、ハンドルフラップ１５６は、使用者の指がそれを通じて組み立てられたカートン内に挿入される開口を完全に満たしていない。それ故に、ハンドルフラップ１５６の終縁部は、部分的な方法で分割線１７１によって開口に部分的に（part way）画定され、該分割線１７１は、第１のストラップ部材１３４又は第２のストラップ部材１３６のそれぞれにハンドルフラップ１５６を折り曲げ可能に接続する折曲げ線１７０の終点を横切り、次いで、タブ１５０の隣接する側縁部を画定するために、その折曲げ線１７０の終端部分と実質的に同軸状に延在し続ける。分割線１７１は、第１のストラップ部材１３４及び第２のストラップ部材１３６において「Ｊ」字状の切断部で終端する。分割線１７１の「Ｊ」字状の切断部は、カートンを持ち上げるために、ハンドル構造を使用することによって、第１のストラップ部材及び第２のストラップ部材上に配置された応力に応じて、第１のストラップ部材及び第２のストラップ部材を引き裂くことを制止する。
【００６８】
第１の大きな端部フラップ１３０及び第２の大きな端部フラップ１３２における分割線１６０は、好ましくは、「Ｊ」字状の分割線で終端するものではなくむしろ、タブ１５０の隣接縁部を画定し、且つその遠位角部で終端する直線状の分割線で終端するものである。
【００６９】
第２の小さな端部フラップ１８２は、第１の半体１８２Ａ及び第２の半体１８２Ｂから形成された複合パネルであり、第１の半体１８２Ａ及び第２の半体１８２Ｂは、第１の実施形態の追加の接着パネル２の要求を取り除くために、互いに対して固定可能である。さらに、第１の小さな端部フラップ１８０及び第２の小さな端部フラップ１８２のそれぞれは、追加の分割線１９６、１９７を備え、該分割線１９６、１９７は、上記の分割線１７１の終端の「Ｊ」字状の切断部と一致する。それ故に、この第２の実施形態において、第１の小さな端部フラップ１８０及び第２の小さな端部フラップ１８２は、第１のストラップ部材１３４及び第２のストラップ部材１３６の部分を重なることができる。該第１のストラップ部材１３４及び第２のストラップ部材１３６において、「Ｊ」字状の分割線が形成され、それによって、分割線１７１及び分割線１９６、１９７の終端部分が互いに位置合わせされる。
【００７０】
図７から理解されることができるように、第１の小さな端部フラップ１８０及び第２の小さな端部フラップ１８２における分割線１８８、１８９は、カートンの側壁内に延在しない。折曲げ線１９１、１９３は、第１の小さな端部フラップ１８０及び第２の小さな端部フラップ１８２を接続する折曲げ線とそれらの分割線の交差部から、側壁に延在する。それ故に、動作中、ハンドル構造は、側壁の変形された部分を備えていない。
【００７１】
第２の実施形態によるハンドル構造を有しているカートンを組み立てるために必要とされる折り曲げ動作は、上記の折り曲げ動作と同じものである。
【００７２】
様々な変更が本願の開示の技術的範囲内で行われてもよく、例えば、パネル及び開口の寸法及び形状が異なる寸法又は形状の複数の物品を収容するように調整されることができることは、理解されることができる。ハンドル構造の２つの実施形態は上述されており、且つ各実施形態の構成要素が必要に応じて組み合わされることができることは、想像される。例えば、分割線１７１の「Ｊ」字状の切断部は採用されることができると同時に、第１の実施形態の「Ｊ」字状の分割線６２を維持することもできる。
【００７３】
本願の開示の他の実施形態において、ハンドル構造の異なる部分を形成するように使用されたブランク材料の厚さの数が変更されることができることは、想像される。例えば、ハンドルストラップ１０２の中央部分が、上記の組み合わされた第１のストラップ部材２４及び第２のストラップ部材２６を置換える単一層のストラップ部材によって提供されることができることは、想像される。そのような代替的な実施形態において、上記の方法で互いに接続された直線状の一連のパネルが、カートンの上壁４及び底壁８のうち一方に折り曲げ可能に接続されるので、大きな端部フラップ及び中間ストラップ部材の両方を提供することは、可能とされるであろう。必要に応じて、上壁４及び底壁８の他方に折り曲げ可能に接続されることができる接着フラップは含まれることができ、この直線状の一連の複数のパネルの対向した端部は、該それらに固定されることができる。同様に、３つ又はそれ以上のカートン材料の厚さは、その中央部分の少なくとも一部と垂直方向で位置合わせされた１つ又は複数の追加の補強パネルを含むことによって、ハンドルストラップ１０２の中央部分を提供するために採用されることができる。
【００７４】
中央部分の二層の厚さが中央補強部分９２に固定されるハンドルストラップ１０２の三層の厚さは、カートン材料のより多い数の厚さ又はより少ない数の厚さを備えるように変化されることができる。これは、中央部分と中央補強部分９２との間で配置される追加の補強パネルの提供によって達成されることができる。
【００７５】
ハンドル構造が、上述された端部壁よりむしろ、カートンの異なる壁に設けられることができることはまた、想像される。例えば、ブランクにおけるパネルの同一の配置は、カートンの複合上壁を形成するために採用されることができる。
【００７６】
ハンドルフラップ５６を第１のストラップ部材３４及び第２のストラップ部材３６に折り曲げ可能に接続する折曲げ線７０は、代替的には、１つ又は複数の分割線部分を備えてもよい。ハンドルフラップ５６と第１のストラップ部材３４及び第２のストラップ部材３６のそれぞれとの間のさらなる弱い接続に追加して、それらの分割線はまた、ハンドルフラップ５６の各縁部の終端に隣接して位置付けられることができ、それによって、第１のストラップ部材３４及び第２のストラップ部材３６のそれぞれからそれらのハンドルフラップ５６の複数の端部を分離することができる。この方法において、上記の折曲げ線５５などのハンドルフラップ５６において設けられた任意の折曲げ線は、ハンドルフラップ５６が前記カートンの内側に使用者の手及び／又は複数の物品により良好に一致するようにその端部で変形することを可能にするであろう。
【００７７】
ハンドルフラップ５６の例示的な形状及びそれらのハンドルフラップ５６が内側方向に折り曲げられる場合のカートン１００における間接的な開口は、例えば挿入されている使用者の手の異なる複数の指に適するように、所望される用途に適するように必要とされるので、変更されることができる。代替的には、ハンドルフラップ５６は、全体的に省かれることができ、例えば、開口を画定する単一の連続的な分割線に置換されることできる。
【００７８】
互いに対して所定の角度とされる対向した端縁部を有するので、タブ５０が上記の実施形態で記載される一方、タブの任意の形状が使用されることができることは、想像される。異なる形状は、中央部分１０２が使用時の位置にある場合に、第１の大きな端部フラップ３０及び第２の大きな端部フラップ３２の終縁部上に配置される力を異なることに導くであろう。
【００７９】
第１の大きな端部フラップ３０及び第２の大きな端部フラップ３２の隣接する縁部の部分と第１のストラップ部材３４及び第２のストラップ部材３６とを画定する分割線６０を終端するＪ字状の切断部は、必須の特徴ではなく、完全に取り除かれる場合があり、異なる切断ストローク経路と置換される場合がある。
【００８０】
第１の小さな端部フラップ８０及び第２の小さな端部フラップ８２の縁部を越えて、第１の小さな端部フラップ８０及び第２の小さな端部フラップ８２を、対応する第１の側壁６又は第２の側壁１０に分割する分割線８８、８９の延在部は、必要に応じて、ハンドル構造がカートンのより多くの数の側壁又はより少ない数の側壁を効果的に備えるように、完全に省かれることができ、又はその長さにおいて変更される場合がある。
【００８１】
本願明細書で使用されるように、「上部」、「底部」、「前方」、「後方」、「側部」、「内側」、「外側」、「上方」、及び「下方」などの方向の基準が各パネルをその方向付けに制限するものではなく、単に互いからそれらのパネルを区別するために役立つことは、認識されるであろう。折り曲げ可能な接続の任意の参照は、必ずしも単一の折曲げ線のみに言及するように解釈されるべきではなく、実際には、折り曲げ可能に接続された接続部が、本願の開示の技術的範囲から逸脱することなく、以下の、短いスリット、折れ易い線、又は折曲げ線のうちの１つ又は複数から形成されることができる。
【符号の説明】
【００８２】
１  ブランク
２  接着パネル
４  上壁パネル
６  第１の側壁パネル
８  底壁パネル
１０  第２の側壁パネル
２０、２２、２４、２６、２８、２９、５２、５５、５８、７０、８４、８６  折曲げ線
３０  第１の大きな端部フラップ
３２  第２の大きな端部フラップ
３４  第１のストラップ部材
３６  第２のストラップ部材
５０  タブ
５３  切れ目部分
５４、６０、８８、８９、９１、９３  分割線
５６  ハンドルフラップ
６２  Ｊ字状の切断部
８０  第１の小さな端部フラップ
８２  第２の小さな端部フラップ
８４、８６  側縁部
９０  側部部分
９１、９３  傾斜された折曲げ線
９２  中央補強部分
９４  小さな切れ目部分
１００  カートン
１０１  第２のブランク
１０２  ハンドルストラップ、ハンドルストラップ延在部
１０４  ハンドル開口
１０６  部分
１３０  第１の大きな端部フラップ
１３２  第２の大きな端部フラップ
１３４  第１のストラップ部材
１３６  第２のストラップ部材
１５０  タブ
１５６  ハンドルフラップ
１６０  分割線
１７１  分割線
１８０  第１の小さな端部フラップ
１８１  第２の小さな端部フラップ
１８２Ａ  第１の半体
１８２Ｂ  第２の半体
１８８、１８９  分割線
１９１、１９３  折曲げ線
Ｃ  缶
【図１】
2012162303.tif 000003
【図２】
2012162303.tif 000004
【図２Ａ】
2012162303.tif 000005
【図３】
2012162303.tif 000006
【図３Ａ】
2012162303.tif 000007
【図４】
2012162303.tif 000008
【図５】
2012162303.tif 000009
【図６】
2012162303.tif 000010
【図７】
2012162303.tif 000011
【外国語明細書】
2012162303.tif 000012
2012162303.tif 000013
2012162303.tif 000014
2012162303.tif 000015
2012162303.tif 000016
2012162303.tif 000017
2012162303.tif 000018
2012162303.tif 000019
2012162303.tif 000020
2012162303.tif 000021
2012162303.tif 000022
2012162303.tif 000023
2012162303.tif 000024
2012162303.tif 000025
2012162303.tif 000026
2012162303.tif 000027
2012162303.tif 000028
2012162303.tif 000029
2012162303.tif 000030
2012162303.tif 000031
2012162303.tif 000032
2012162303.tif 000033
2012162303.tif 000034
2012162303.tif 000035
2012162303.tif 000036
2012162303.tif 000037
2012162303.tif 000038
2012162303.tif 000039
2012162303.tif 000040
2012162303.tif 000041
2012162303.tif 000042
2012162303.tif 000043
2012162303.tif 000044
2012162303.tif 000045